(57)【要約】    【課題】グリズリバーのバー素体間に砕石あるいはコンクリートブロック等の被分別物が嵌まることを防止することができ、能率良く被分別物の分別が行なえる分別装置を提供する。    【解決手段】枠に複数本のバー素体を並設して傾斜して設置され、被分別物をサイズによって分別するグリズリバー４を有する  グリズリバー４をその被分別物の移動方向に沿って複数のグリズリバー１９〜２１に分割する。少なくとも第２段以降のグリズリバー２０、２１を、ばねにより揺動可能に支持する。【選択図】図４
2007000814.tif 000002
【特許請求の範囲】
【請求項１】
枠に複数本のバー素体を並設して傾斜して設置され、被分別物をサイズによって分別するグリズリバーを有する分別装置において、
前記グリズリバーをその被分別物の移動方向に沿って複数に分割し、
少なくとも第２段以降のグリズリバーを、ばねにより揺動可能に支持した
ことを特徴とする分別装置。
【請求項２】
請求項１に記載の分別装置において、
互いに隣接するグリズリバーのうち、上段側グリズリバーの下端の下に、下段側のグリズリバーのバー素体の上端部を位置させた
ことを特徴とする分別装置。
【請求項３】
請求項１または２に記載の分別装置において、
下段のグリズリバーほど傾斜角を大きくした
ことを特徴とする分別装置。
【請求項４】
請求項１から３までのいずれかに記載の分別装置において、
バー素体の断面形状をその上端部を山形とし、上部に最大幅の部分を形成し、この最大幅の部分から下端部にわたり、次第に狭幅となるテーパー形に形成した
ことを特徴とする分別装置。
【請求項５】
請求項１から４までのいずれかに記載の分別装置において、
上段側のグリズリバーのバー素体間の間隔より、下段側のグリズリバーのバー素体間の間隔を広く形成すると共に、各段のグリズリバーにおいては、上部側のバー素体間の間隔より、下部側のバー素体の間隔を広くした
ことを特徴とする分別装置。
【発明の詳細な説明】
【技術分野】
【０００１】
本発明は、砕石やコンクリートブロック等をサイズによって分別するグリズリバーを有する分別装置に関する。
【背景技術】
【０００２】
採石場等において採取された石は道路の敷石等に利用するため、クラッシャにより破砕する。この破砕に際して、クラッシャの破砕部に導入される破砕前の石のうち、あるサイズ以下の小石は粉砕する必要がないので、原料の石は、グリズリバーにより小石を除き、所定サイズ以上のものを破砕部に導入する。また、破砕後の石も用途に応じたサイズに分別するために、グリズリバーによる分別と、そのグリズリバーを通過したものをさらに大小に分別する篩装置が設けられる。このようなグリズリバーとして、特許文献１には、クラッシャの石の導入部に、ばねにより支持されたグリズリバーが開示されている。
【０００３】
【特許文献１】特開平１１−１００２３号公報
【発明の開示】
【発明が解決しようとする課題】
【０００４】
グリズリバーにおいて、分別機能を発揮するには、グリズリバーの長さはある程度以上に確保する必要がある。このようにグリズリバーは所定の長さを有しており、グリズリバー上端では導入される砕石等の被分別物の落下による衝撃により被分別物が付勢されて落下するが、グリズリバーの中間ないし下方になるとその勢いが低下して被分別物がバー素体間に挟まり、その上に後続の被分別物が滞積して分別機能が低下し、作業の停止を余儀なくされることが多々あり、作業能率の低下を招いていた。
【０００５】
本発明は、上記問題点に鑑み、グリズリバーのバー素体間に砕石あるいはコンクリートブロック等の被分別物が挟まることを防止することができ、能率良く被分別物の分別が行なえる分別装置を提供することを目的とする。
【課題を解決するための手段】
【０００６】
請求項１の分別装置は、枠に複数本のバー素体を並設して傾斜して設置され、被分別物をサイズによって分別するグリズリバーを有する分別装置において、
前記グリズリバーをその被分別物の移動方向に沿って複数に分割し、
少なくとも第２段以降のグリズリバーを、ばねにより揺動可能に支持した
ことを特徴とする。
【０００７】
請求項２に記載の分別装置は、請求項１において、
互いに隣接するグリズリバーのうち、上段側グリズリバーの下端の下に、下段側のグリズリバーのバー素体の上端部を位置させた
ことを特徴とする。
【０００８】
請求項３の分別装置は、請求項１また２において、
下段のグリズリバーほど傾斜角を大きくした
ことを特徴とする。
【０００９】
請求項４の分別装置は、請求項１から３までのいずれかにおいて、
バー素体の断面形状をその上端部を山形とし、上部に最大幅の部分を形成し、この最大幅の部分から下端部にわたり、次第に狭幅となるテーパー形に形成した
ことを特徴とする。
【００１０】
請求項５の分別装置は、請求項１から４までのいずれかにおいて、
上段側のグリズリバーのバー素体間の間隔より、下段側のグリズリバーのバー素体間の間隔を広く形成すると共に、各段のグリズリバーにおいては、上部側のバー素体間の間隔より、下部側のバー素体の間隔を広くした
ことを特徴とする。
【発明の効果】
【００１１】
請求項１の発明は、グリズリバーを複数に分割し、少なくとも第２段以降のグリズリバーをばねにより揺動自在に支持したので、上段側から下段側に石やコンクリートブロックでなる被分別物が移行する時、ばねにより支持された短いグリズリバーが振動しやすくなり、このため、バー間に被分別物が挟まることが防止され、分別機能が維持され、作業の中断も起こらなくなるので、分別作業が能率良く行なえる。
【００１２】
請求項２の発明は、分割されたグリズリバー間に段差を設けたので、上段側から下段側に石やコンクリートブロックでなる被分別物が移行する時、被分別物が下段側グリズリバーに衝突することにより、下段側のグリズリバーがより激しく振動されると共に、被分別物の転落の勢いが増大するので、請求項１の効果がよりよく達成できる。
【００１３】
請求項３の発明は、下段のグリズリバーほど傾斜角を大きくしたので、被分別物の下方への転落の勢いが下段側のグリズリバーでも衰えず、被分別物がバー素体間に挟まって留まることをよりよく防ぐことができる。
【００１４】
請求項４の発明は、バー素体の断面形状をその上端部を山形とし、上部に最大幅の部分を形成し、この最大幅の部分から下端部にわたり、次第に狭幅となるテーパー形に形成したので、グリズリバー上に投入される被分別物が山形部分の傾斜面でバー素体間に導かれて分別機能が促進されると共に、下方のテーパー形の部分では、バー素体に振動が加わることにより、一旦最大幅部分で引っかかった被分別物も下方に容易に落下させることができ、被分別物がバー素体間に挟まって留まることをよりよく防ぐことができる。
【００１５】
請求項５の発明は、上段側のグリズリバーのバー素体間の間隔より、下段側のグリズリバーのバー素体間の間隔を広く形成すると共に、各段のグリズリバーにおいては、上部側のバー素体間の間隔より、下部側のバー素体の間隔を広くしたので、バー素体間に挟まった被分別物は、バー素体に振動を加えることにより下方に移動させて下方でバー素体間を通して落下させることができ、被分別物がバー素体間に挟まって留まることをよりよく防ぐことができる。
【発明を実施するための最良の形態】
【００１６】
図１は本発明による分別装置の一実施の形態を示す側面図である。図１において、１はクラッシャの破砕後の砕石またはコンクリートブロック等の被分別物をクラッシャ外に搬出する排出コンベアである。２は本発明による分別装置であり、排出コンベア１から搬送されてきた被分別物を大中小に分別するものである。なお、分別装置２に分別する被分別物を投入する装置としてはクラッシャ以外にクラムシェルバケット等を有する荷役機など他の搬入手段を用いる場合もある。
【００１７】
グリズリバー４はこれだけで分別装置２を構成することもできるが、本実施の形態においては、この分別装置２は、枠３の上段にグリズリバー４を設置し、中段に篩装置５を設置し、下段にコンベア６〜８が設置してなる。本実施の形態のグリズリバー４は、被分別物の性状等に合わせて傾斜角を調整する傾斜枠３ａを含んで構成される。この傾斜枠３ａは、図4に示すように、排出コンベア１側と反対側、すなわちグリズリバー４の下側の縦枠３ｂ上に緩衝ゴム９を介して支持し、他端側を排出コンベア１側の縦枠３ｃ上に傾斜角調整用の接続装置１２および緩衝ゴム１０を有する縦枠３ｄを介して支持する。
【００１８】
前記接続装置１２は、図２（Ａ）に示すように、中継枠１３を有し、この中継枠１３は、縦枠３ｃの頂部のピン孔ｂに合わせて図２（Ｃ）に示すようにピン１４により連結するピン孔aと、前記縦枠３ｄのピン孔ｃにピン１７により連結するため、上下の異なる位置に設けた複数のピン孔ｄ、ｅとを有する。
【００１９】
そして図２（Ｂ）に示すように、縦枠３ｃのピン孔ｂに縦枠３ｄのピン孔ｃに合わせてこれらのピン孔ｂ、ｃにピン１４を挿着することにより、傾斜枠３ａの傾斜角を最も小さい例えば２５度に設定する。
【００２０】
また、図２（Ｃ）に示すように、中継枠１３の下端のピン孔ａに縦枠３ｃのピン孔ｂに合わせてこれらのピン孔ａ、ｂにピン１４を挿着することにより連結すると共に、中継枠１３のピン孔ｄに傾斜枠３ａ側の縦枠３ｄのピン孔ｃに合わせてこれらのピン孔ｄ、ｃにピン１７を挿着することにより連結する。これにより、傾斜枠３ａの傾斜角を例えば３０度の最大傾斜角に設定する。中継枠１３の真ん中のピン孔ｅに傾斜枠３ａ側の縦枠３ｄのピン孔ｃに合わせてこれらのピン孔ｅ、ｃにピン１７を挿着して連結すると、傾斜枠３ａの傾斜角は２５度と３０度の間の中間の傾斜角に設定される。
【００２１】
本発明は、このような傾斜枠３ａの傾斜が３段に調整できるもののみならず、２段あるいは４段以上に調整可能としたり、連続的に調整可能として構成することも可能である。また、傾斜枠３ａの傾斜角は固定のものとして構成してもよい。
【００２２】
グリズリバー４は、被分別物の移動方向に沿って複数のグリズリバーに分割される。本実施の形態においては、上段側から、第１段グリズリバー１９と、第２段グリズリバー２０と、第３段グリズリバー２１とに分割している。図３、図４に示すように、第１段グリズリバー１９は縦枠２３と共にグリズリバー１９の枠を構成する横枠２４上に溶接あるいはボルト付けにより複数本のバー素体２５を並設して構成される。この第１段グリズリバー１９は、傾斜枠３ａ上に支持枠２６により固定して取付けられる。
【００２３】
第２段グリズリバー２０は、縦枠２７と共にグリズリバー２０の枠を構成する横枠２８上に溶接あるいはボルト付けにより複数本のバー素体２９を並設して構成される。
【００２４】
第３段グリズリバー２１は、縦枠３０と共に枠を構成する横枠３１上に溶接あるいはボルト付けにより複数本のバー素体３２を並設して構成される。
【００２５】
図４、図５に示すように、第２段グリズリバー２０および第３段グリズリバー２１は、それぞれ、傾斜枠３ａに固定した上下左右合計４本の支柱３４に引張ばね３５を介して上下方向、水平方向に揺動可能に支持して取付けられる。すなわち、第２、３段グリズリバー２０、２１の縦枠２７、３０にそれぞれ引張ばね３５の下部の接続金具３６を接続し、引張ばね３５の上部の接続金具（フック）３７を、支柱３４の上端の取付け部３４ａに取付けた接続ロッド３８の下端の接続部に掛けて接続している。
【００２６】
この実施の形態においては、接続ロッド３８は前記取付け部３４ａに設けた孔に貫通し、取付け部３４ａの上下にナット３９を接続ロッド３８のねじ部に螺合し、このナット３９の螺合位置を変えることにより、グリズリバー２０、２１の上下左右の高さを調整可能としている。
【００２７】
図４に示すように、第１段ないし第３段のグリズリバー１９〜２１は、隣接するグリズリバーのうち、上段側グリズリバー１９（２０）のバー素体２５（２９）下端の下に、下段側のグリズリバー２０（２１）のバー素体２９（３２）の上端部が位置するように、段差を設けて構成している。
【００２８】
また本実施の形態においては、図４に示すように、下段のグリズリバーほど傾斜角を大きく設定している。すなわち第１段グリズリバー１９、第２段グリズリバー２０、第３段グリズリバー２１の各傾斜角をそれぞれθ１、θ２、θ３とすると、θ１＜θ２＜θ３に設定している。
【００２９】
また本実施の形態においては、図６に示すように、バー素体２５、２９、３２の断面形状をその上端部を山形とし、上部に最大幅Ｗ１の部分を形成し、この最大幅の部分から下端部にわたり、次第に狭幅となるテーパー形に形成ししている。すなわちバー素体２５、２９、３２の下端部の幅をＷ２とすると、Ｗ１＞Ｗ２としている。
【００３０】
また本実施の形態においては、図３に示すように、上段側のグリズリバーのバー素体間の間隔より、下段側のグリズリバーのバー素体間の間隔を広く形成している。すなわち第１段グリズリバー１９、第２段グリズリバー２０、第３段グリズリバー２１の各上端部におけるバー素体間の感覚をそれぞれＳ１、Ｓ２、Ｓ３とすると、Ｓ１＜Ｓ２＜Ｓ３に設定している。また、例えば第３段グリズリバーの上端側のバー素体間の間隔をＳ３、下端側の間隔をＳ４としたとき、Ｓ３＜Ｓ４とし、他の段のグリズリバー１９、２０でも同様に上部のバー素体間の間隔より下部のバー素体間の間隔を広く形成している。
【００３１】
篩装置５は、第１段グリズリバー１９および第２段グリズリバー２０から分別されて落下する被分別物をシュート４０を介して投入する。この篩装置５は、上下面開口構造のハウジング４１を枠３の中段に圧縮ばね４２を介して揺動可能に支持して設置する。ハウジング４１の側面にはモータ４３により偏心錘４４を回転させてハウジング４１に振動を与える。ハウジング４１内には、被分別物をサイズにより分別するスクリーン４５を設ける。
【００３２】
４６はハウジング４１の下部に設けられたシュートであり、このシュート４６は、図１に示すように、スクリーン４５の目を通過した最も小さいサイズの被選別物をコンベア６上に導くものである。このコンベア６は小さいサイズの被選別物を外部に搬出するもので、その一端をシュート４６の下に位置させる。
【００３３】
４７は中サイズ用のシュートであり、このシュート４７は、前記スクリーン４５の目を通過せずにスクリーン４５上を転動して出口に導かれた中サイズの被選別物および前記第３段グリズリバー２１のバー素体３２の間を通過した中サイズの被選別物を集めてコンベア７上に導くものである。このコンベア７は中サイズの被選別物を外部に搬出するもので、その一端をシュート４７の下に位置させる。
【００３４】
４９は大サイズ用のシュートであり、このシュート４９は、前記第３段グリズリバー２１のバー素体３２の間を通過せずに転動して下端まで移動した大サイズの被選別物を集めてコンベア８上に導くものである。このコンベア８は大サイズの被選別物を外部に搬出するもので、その一端をシュート４９の下に位置させる。
【００３５】
この実施の形態のグリズリバー４は、グリズリバーを３段に分割し、その第２段、第３段のグリズリバー２０、２１を引張ばね３５により揺動自在に支持したので、上段側から下段側に石やコンクリートブロックでなる被分別物が移行する時、引張ばね３５により支持された短いグリズリバー２０、２１が振動しやすくなり、このため、バー素体２９、３２間に被分別物が挟まることが防止され、分別機能が維持され、作業の中断も起こらなくなるので、分別作業が能率良く行なえる。なお、最上段の第１段グリズリバー１９においては、搬出コンベア１から落下する被選別物の重力によって被選別物が付勢されてバー素体２５間に被選別物が挟まって詰まることが防止されるので、第１段グリズリバー１９は必ずしも揺動可能に支持する必要はないが、この第１段グリズリバー１９も揺動可能に支持してもよい。
【００３６】
本実施の形態においては、互いに隣接するグリズリバーのうち、上段側グリズリバー１９（２０）のバー素体２５（２９）の下端の下に、下段側のグリズリバー２０（２１）のバー素体２９（３２）の上端部を位置するように段差を設けたので、上段側から下段側に石やコンクリートブロックでなる被分別物が移行する時、被分別物が下段側グリズリバーに衝突することにより、下段側のグリズリバーがより激しく振動されると共に、被分別物の転落の勢いが増大する。このため、バー素体２９、３２間に被分別物が挟まることがよりよく防止され、分別機能の維持、作業の中断防止および分別作業の能率向上の効果がより良く達成できる。
【００３７】
また本実施の形態においては、図４に示すように、下段のグリズリバーほど傾斜角を大きくした（θ１＜θ２＜θ３）ので、被分別物の下方への転落の勢いが下段側のグリズリバーでも衰えず、被分別物がバー素体間に挟まって留まることをよりよく防ぐことができる。
【００３８】
また本実施の形態においては、図６に示すように、バー素体２５、２９、３２の断面形状をその上端部を山形とし、上部に最大幅Ｗ１の部分を形成し、この最大幅の部分から下端部にわたり、次第に狭幅となるテーパー形に形成した（Ｗ１＞Ｗ２）ので、グリズリバー上に投入される被分別物が山形部分の傾斜面でバー素体間に導かれて分別機能が促進されると共に、下方のテーパー形の部分では、バー素体に振動が加わることにより、一旦最大幅部分で引っかかった被分別物も下方に容易に落下させることができ、被分別物がバー素体間に挟まって留まることをよりよく防ぐことができる。
【００３９】
また本実施の形態においては、図３に示すように、上段側のグリズリバーのバー素体間の間隔より、下段側のグリズリバーのバー素体間の間隔を広く形成する（Ｓ１＜Ｓ２＜Ｓ３）と共に、各段のグリズリバーにおいては、上部側のバー素体間の間隔より、下部側のバー素体の間隔を広くした（Ｓ３＜Ｓ４）ので、バー素体間に挟まった被分別物は、バー素体に振動を加えることにより下方に移動させて下方でバー素体間を通して落下させることができ、被分別物がバー素体間に挟まって留まることをよりよく防ぐことができる。
【００４０】
本発明を実施する場合、グリズリバー２０、２１を支持するばねは圧縮ばねでもよい。また本発明のグリズリバーは、クラッシャの被分別物の破砕部への導入部に用いるグリズリバーとして用いることも可能である。
【図面の簡単な説明】
【００４１】
【図１】本発明による分別装置の一実施の形態を示す側面図である。
【図２】（Ａ）〜（Ｃ）はグリズリバーの傾斜角度を調整する接続装置をそれぞれ分解状態、最小傾斜角、最大傾斜角の接続状態で示す側面図である。
【図３】本実施の形態のグリズリバーの平面図である。
【図４】本実施の形態の分別装置のグリズリバーおよび篩装置を示す側面図である。
【図５】本実施の形態における第２、３段グリズリバーの支持構造を示す正面図である。
【図６】本実施の形態のバー素体を示す端面図である。
【符号の説明】
【００４２】
１：排出コンベア、２：分別装置、３：枠、３ａ：傾斜枠、３ｂ〜３ｄ：縦枠、４：グリズリバー、５：篩装置、６〜８：コンベア、９、１０：緩衝ゴム、１２：接続装置、１３：中継枠、１４、１７：ピン、１９：第１段グリズリバー、２０：第２段グリズリバー、２１：第３段グリズリバー、２３、２７、３０：縦枠、２４、２８、３１：横枠、２５、２９、３２：バー素体、３４：支柱、３５：引張ばね、３６、３７：接続金具、３８：接続ロッド、３９：ナット、４０：シュート、４１：ハウジング、４２：圧縮ばね、４３：モータ、４４：偏心錘、４５：スクリーン、４６、４７、４９：シュート
【図１】
2007000814.tif 000003
【図２】
2007000814.tif 000004
【図３】
2007000814.tif 000005
【図４】
2007000814.tif 000006
【図５】
2007000814.tif 000007
【図６】
2007000814.tif 000008